(57)【要約】【課題】移動体とともに移動して撮影された画像データのうちの適切な部分を抽出して再生することである。【解決手段】画像再生装置６０において、移動体としての車両３０に設けられた撮影手段により撮影された被写体としての乗客Ｑの画像データを画像撮影装置１０Ａから受信して入力し、受信された全ての画像データの一部を再生画像データとして抽出し、抽出された再生画像データを画像再生手段に再生させる。【選択図】図１
2005167796.tif 000002
【特許請求の範囲】
【請求項１】
被写体が撮影された画像データを再生する画像再生手段を備える画像再生装置において、
移動体に設けられた撮影手段により撮影された前記被写体の画像データを入力する画像入力手段と、
前記画像入力手段により入力された全ての画像データのうちの一部を再生画像データとして抽出し、前記抽出された再生画像データを前記画像再生手段に再生させる制御手段と、を備えることを特徴とする画像再生装置。
【請求項２】
前記撮影された画像データの再生対象部分に対応して設定される設定情報を記憶する記憶手段を備え、
前記制御手段は、前記記憶手段に記憶された設定情報に基づいて、前記入力された画像データから前記再生画像データを抽出することを特徴とする請求項１に記載の画像再生装置。
【請求項３】
前記撮影された画像データは、フレームごとのフレーム画像データと、所定のフレーム画像データに対応付けられる撮影時間情報とを含み、
前記設定情報は、前記撮影された画像データの再生対象部分に対応して設定される設定時間情報であることを特徴とする請求項２に記載の画像再生装置。
【請求項４】
前記撮影された画像データは、フレームごとのフレーム画像データと、所定のフレーム画像データに対応付けられる撮影位置情報とを含み、
前記設定情報は、前記撮影された画像データの再生対象部分に対応して設定される設定位置情報であることを特徴とする請求項２に記載の画像再生装置。
【請求項５】
前記設定情報の変更入力を受け付ける操作手段を備え、
前記制御手段は、前記操作手段により入力された設定情報に基づいて前記記憶手段に記憶された設定情報を変更することを特徴とする請求項２に記載の画像再生装置。
【請求項６】
被写体が撮影された画像データを再生する画像再生手段を備える機器に搭載されるコンピュータに、
移動体に設けられた撮影手段により撮影された被写体の画像データを入力する機能と、
前記入力された全ての画像データのうちの一部を再生画像データとして抽出し、前記抽出された再生画像データを前記画像再生手段に再生させる機能と、
を実現させるための画像再生プログラム。
【請求項７】
前記コンピュータに、
前記撮影された画像データの再生対象部分に対応して設定される設定情報を記憶する機能を実現させ、
前記再生画像データの抽出において、前記記憶された設定情報に基づいて、前記入力された画像データから前記再生画像データを抽出することを特徴とする請求項６に記載の画像再生プログラム。
【請求項８】
前記撮影された画像データは、フレームごとのフレーム画像データと、所定のフレーム画像データに対応付けられる撮影時間情報とを含み、
前記設定情報は、前記撮影された画像データの再生対象部分に対応して設定される設定時間情報であることを特徴とする請求項７に記載の画像再生プログラム。
【請求項９】
前記撮影された画像データは、フレームごとのフレーム画像データと、所定のフレーム画像データに対応付けられる撮影位置情報とを含み、
前記設定情報は、前記撮影された画像データの再生対象部分に対応して設定される設定位置情報であることを特徴とする請求項７に記載の画像再生プログラム。
【請求項１０】
前記コンピュータに、
前記設定情報の変更入力を受け付ける機能と、
入力された設定情報に基づいて前記記憶手段に記憶された設定情報を変更する機能と、を実現させるための請求項７に記載の画像再生プログラム。
【発明の詳細な説明】
【技術分野】
【０００１】
本発明は、画像を再生する画像再生装置及び画像再生プログラムに関する。
【背景技術】
【０００２】
従来、遊園地のジェットコースターなどの乗り物において、乗り物の走行中に、乗客の姿や表情を固定カメラで撮影し、乗客の降車後にその撮影写真を希望する乗客に販売するサービスがあった。例えば、乗り物のプラットホームの出口付近などで撮影画像をモニタに表示し、乗客が表示画像を参照して、撮影写真をオーダするものである。
【０００３】
乗客の撮影に関して、乗り物のコースに沿って設けられた固定カメラによる撮影位置の近傍にフラッシュライトを設け、乗り物の走行中の撮影直前にフラッシュライトを動作させ、そのフラッシュにより撮影予告を乗客に報知する構成が考えられている（例えば、特許文献１参照）。この構成により乗客は撮影前に予め好きなポーズをとることができる。
【０００４】
また、複数の車両からなる乗り物を高速で走行させるにあたり、複数の固定カメラを一箇所に向けて設け、複数の固定カメラの撮影動作を順次切り換えることにより、高速で移動する全ての車両の乗客を撮影する構成が考えられている（例えば、特許文献２参照）。
【０００５】
また、固定カメラで撮影された乗客の撮影画像をモニタに表示するにあたり、乗客の降車場所からモニタ設置場所までの移動時間を、乗客の混雑状況又は乗り物の運転間隔に基づいて決定し、乗客がモニタの前に到着するタイミングで、その乗客の撮影画像をモニタに表示する構成が考えられている（例えば、特許文献３参照）。
【特許文献１】特開平１０−１９７９１９号公報
【特許文献２】特開平１０−１７３９８５号公報
【特許文献３】特開平１０−１６４４７０号公報
【発明の開示】
【発明が解決しようとする課題】
【０００６】
しかし、特許文献１〜３に記載の構成では、乗り物などの移動体とは別に固定設置される固定カメラを用いるので、固定した撮影位置及び撮影条件で撮影できるものの、移動体の高速移動中に、移動体内の乗客を動画撮影することなどが困難であるという問題があった。これに関して、移動体に撮影手段を設け、この移動体とともに移動する撮影手段により被写体の動画又は静止画の撮影を行う構成とすればよいが、例えば、撮影した画像データを記録した記録媒体を乗客に販売促進するため、乗客が当該モニタの前を通りかかった際に、購買意欲が高まるような絶叫のシーンなどの所定の適切な画像データ部分のみを常に表示させる要請がある。
【０００７】
本発明の課題は、移動体とともに移動して撮影された画像データのうちの適切な部分を抽出して再生することである。
【課題を解決するための手段】
【０００８】
以上の課題を解決するために、請求項１に記載の発明は、被写体が撮影された画像データを再生する画像再生手段を備える画像再生装置において、
移動体に設けられた撮影手段により撮影された前記被写体の画像データを入力する画像入力手段と、
前記画像入力手段により入力された全ての画像データのうちの一部を再生画像データとして抽出し、前記抽出された再生画像データを前記画像再生手段に再生させる制御手段と、を備えることを特徴とする。
【０００９】
画像データとは、動画又は静止画の画像データであり、音声データを有する画像データを含める。音声データを有する画像データとは、実画像データと音声データとを別々に有する画像データ、又は実画像データと音声データとを一体的に含む画像データである。また、入力された全ての画像データのうちの一部とは、動画又は静止画の画像データであり、入力された複数フレームの画像データから所定フレームが間引きされた画像データを含める。
【００１０】
請求項２に記載の発明は、請求項１に記載の画像再生装置において、
前記撮影された画像データの再生対象部分に対応して設定される設定情報を記憶する記憶手段を備え、
前記制御手段は、前記記憶手段に記憶された設定情報に基づいて、前記入力された画像データから前記再生画像データを抽出することを特徴とする。
【００１１】
請求項３に記載の発明は、請求項２に記載の画像再生装置において、
前記撮影された画像データは、フレームごとのフレーム画像データと、所定のフレーム画像データに対応付けられる撮影時間情報とを含み、
前記設定情報は、前記撮影された画像データの再生対象部分に対応して設定される設定時間情報であることを特徴とする。
【００１２】
請求項４に記載の発明は、請求項２に記載の画像再生装置において、
前記撮影された画像データは、フレームごとのフレーム画像データと、所定のフレーム画像データに対応付けられる撮影位置情報とを含み、
前記設定情報は、前記撮影された画像データの再生対象部分に対応して設定される設定位置情報であることを特徴とする。
【００１３】
請求項５に記載の発明は、請求項２に記載の画像再生装置において、
前記設定情報の変更入力を受け付ける操作手段を備え、
前記制御手段は、前記操作手段により入力された設定情報に基づいて前記記憶手段に記憶された設定情報を変更することを特徴とする。
【００１４】
請求項６に記載の発明は、被写体が撮影された画像データを再生する画像再生手段を備える機器に搭載されるコンピュータに、
移動体に設けられた撮影手段により撮影された被写体の画像データを入力する機能と、
前記入力された全ての画像データのうちの一部を再生画像データとして抽出し、前記抽出された再生画像データを前記画像再生手段に再生させる機能と、
を実現させるための画像再生プログラムである。
【００１５】
請求項７に記載の発明は、請求項６に記載の画像再生プログラムにおいて、
前記コンピュータに、
前記撮影された画像データの再生対象部分に対応して設定される設定情報を記憶する機能を実現させ、
前記再生画像データの抽出において、前記記憶された設定情報に基づいて、前記入力された画像データから前記再生画像データを抽出することを特徴とする。
【００１６】
請求項８に記載の発明は、請求項７に記載の画像再生プログラムにおいて、
前記撮影された画像データは、フレームごとのフレーム画像データと、所定のフレーム画像データに対応付けられる撮影時間情報とを含み、
前記設定情報は、前記撮影された画像データの再生対象部分に対応して設定される設定時間情報であることを特徴とする。
【００１７】
請求項９に記載の発明は、請求項７に記載の画像再生プログラムにおいて、
前記撮影された画像データは、フレームごとのフレーム画像データと、所定のフレーム画像データに対応付けられる撮影位置情報とを含み、
前記設定情報は、前記撮影された画像データの再生対象部分に対応して設定される設定位置情報であることを特徴とする。
【００１８】
請求項１０に記載の発明は、請求項７に記載の画像再生プログラムにおいて、
前記コンピュータに、
前記設定情報の変更入力を受け付ける機能と、
入力された設定情報に基づいて前記記憶手段に記憶された設定情報を変更する機能と、を実現させることを特徴とする。
【発明の効果】
【００１９】
請求項１又は６に記載の発明によれば、移動体の移動とともに撮影された全ての画像データの一部を再生画像データとして抽出して画像再生手段で再生するので、撮影された画像データのうちの適切な再生部分としての再生画像データを抽出して再生することができる。
【００２０】
請求項２又は７に記載の発明によれば、記憶された設定情報に基づいて、画像データから再生画像データを抽出するので、撮影された画像データのうちの、設定情報に基づく適切な再生画像データを容易に抽出することができる。
【００２１】
請求項３又は８に記載の発明によれば、設定時間情報に基づいて、撮影された画像データから再生画像データを容易に抽出することができる。
【００２２】
請求項４又は９に記載の発明によれば、設定時間距離に基づいて、撮影された画像データから再生画像データを容易に抽出することができる。
【００２３】
請求項５又は１０に記載の発明によれば、入力された設定情報に基づいて、記憶された設定情報を変更することができるので、撮影された画像データの再生部分を自在に変更することができる。
【発明を実施するための最良の形態】
【００２４】
以下、添付図を参照して本発明に係る第１及び第２の実施の形態を順に詳細に説明する。ただし、発明の範囲は、図示例に限定されない。
【００２５】
（第１の実施の形態）
図１〜図６を参照して、
先ず、図１、図２及び図３を参照して本実施の形態の装置の特徴を説明する。図１に、本実施の形態の画像撮影システム１００Ａの構成を示す。図２に、画像撮影装置１０Ａの内部構成を示す。図３に、画像再生装置６０Ａの内部構成を示す。
【００２６】
図１に示すように、遊園地などにおいて、移動体としてのジェットコースター、ウオーターコースターなどの乗り物の車両３０がリング状のコースＣＯ上を走行するように稼動される。被写体としての乗客Ｑは図示しないプラットホームにおいて車両３０に乗降車する。車両３０の走行において、例えば、高速移動中に乗客Ｑの姿、表情が動画撮影される。図１においては、簡単のために、車両３０内に１人の乗客Ｑが示されるが、複数の乗客が乗車する。また、コースＣＯ上の車両３０の移動速度は、停止位置からの移動距離に対応して固定されており、車両３０の移動開始からのコース上の各地点の通過時間は、コースＣＯの周回によらず一定であるものとする。
【００２７】
本実施の形態の画像撮影システム１００Ａは、画像撮影装置１０Ａと、アクセスポイント４０と、操作装置５０と、画像再生装置６０Ａと、画像記録装置７０とを備えて構成される。アクセスポイント４０、操作装置５０、画像再生装置６０Ａ及び画像記録装置７０は、通信ネットワークＮを介して通信接続される。
【００２８】
画像撮影装置１０Ａは、車両３０内に搭載され、動画撮影機能を有するデジタルカメラ１７１を備え、乗客Ｑを動画又は静止画撮影して画像データを取得する。また、画像撮影装置１０Ａは、アクセスポイント４０と無線通信可能である。画像撮影装置１０は、後で詳述する。アクセスポイント４０は、アンテナなどを備え、画像撮影装置１０と無線通信することにより、画像撮影装置１０と通信ネットワークＮ上に設けられた機器との間の通信を中継する。デジタルカメラ１７１は、複数備えられる構成としてもよい。
【００２９】
通信ネットワークＮは、例えば有線又は無線ＬＡＮ（Local Area Network）とするが、これに限定されるものではなく、ＷＡＮ（Wide Area Network）などを含めてもよい。操作装置５０は、係員の操作入力により、車両３０を駆動制御する。
【００３０】
画像再生装置６０Ａは、プラットホームの出口付近などに設置され、画像撮影装置１０Ａにより乗客Ｑが撮影され、アクセスポイント４０及び通信ネットワークＮを介して受信される画像データが、降車した乗客Ｑの通過のタイミングで一定時間再生される。画像再生装置６０Ａは、後で詳述する。
【００３１】
画像記録装置７０は、係員の操作入力により、画像撮影装置１０Ａにより撮影され、アクセスポイント４０及び通信ネットワークＮを介して受信される、所定の乗客の静止画や動画の画像データを記録媒体に記録して画像出力する。記録媒体は、例えば、ＣＤ−Ｒ、ＤＶＤ−Ｒ、青色レーザを用いる大容量情報記録媒体などの情報記録媒体とする。また、出力する画像データが静止画の場合、記録媒体をプリント紙などとし、画像データをプリント出力する構成としてもよい。また、画像データが動画の場合にも、動画中の任意のフレームをプリント紙などにプリント出力する構成としてもよい。
【００３２】
また、車両３０又はカメラ１７１に機器ＩＤが付与され、撮影がなされた車両３０又はカメラ１７１の機器ＩＤが、撮影された画像データと対応付けられて、当該機器ＩＤにより画像データを容易に識別可能に再生及び画像記録する構成としてもよい。また、乗客ＱのチケットなどがＩＤタグを含み、画像撮影装置１０ＡがＩＤタグのＩＤ読み取り部を備える構成とし、ＩＤ読み取り部により乗客のＩＤタグが読み取られ、乗客の撮影とともにＩＤタグのタグＩＤと、撮影された画像データとが対応付けられて、当該タグＩＤにより画像データを容易に識別可能に再生及び画像記録する構成としてもよい。また、乗客ＱのチケットなどがカードＩＤを記録された電子カードとなっており、車両３０に電子カードの挿入口を設け、画像撮影装置１０Ａが電子カードのＩＤ読み取り部を備える構成とし、乗車時にそのカードＩＤが挿入口に挿入されてＩＤ読み取り部によりカードＩＤが読み取られ、乗客の撮影とともにカードＩＤと、撮影された画像データとが対応付けられて、当該カードＩＤにより画像データを容易に識別可能に再生及び画像記録する構成としてもよい。
【００３３】
プラットホームにおいて車両３０を降車した乗客は、出口付近などで、画像再生装置６０Ａの画像データ再生部６７に再生された自分達の画像を閲覧できる。そして、再生された画像データの購入を希望する乗客は、係員に注文する。係員は、画像記録装置７０に画像記録を指示入力して、購入希望した乗客の画像データをＣＤ−Ｒなどに書き込み、又はプリント出力する。そして、画像出力されたＣＤ−Ｒや、プリント紙などは、係員により代金と引き換えに乗客に手渡される。
【００３４】
次いで、図２を参照して、画像撮影装置１０Ａの内部構成を説明する。画像撮影装置１０は、ＣＰＵ１１と、操作部１２と、ＲＡＭ１３と、表示部１４と、記憶部１５Ａと、通信部１６と、撮影手段としての撮影部１７と、計時部１８と、を備えて構成され、各部がバス１９により接続される。
【００３５】
ＣＰＵ１１は、画像撮影装置１０Ａ内の各部を中央制御する。ＣＰＵ１１は、記憶部１５Ａに記憶されている各種プログラムの中から指定されたプログラムをＲＡＭ１３のワークエリアに適宜展開し、ＲＡＭ１３上のプログラムとの協働により各種制御を実行する。この構成における各種制御の主体を制御部１１１Ａとする。
【００３６】
操作部１２は、各種機能キーなどを備えたキーパッドなどを含み、操作者により操作入力された信号をＣＰＵ１１に出力する。ＲＡＭ１３は、各種データや各種プログラムなどを一時的に格納するワークエリアを有する。表示部１４は、ＬＣＤ（Liquid Crystal Display）などで構成され、ＣＰＵ１１からの表示信号に従って、画面表示を行う。
【００３７】
記憶部１５Ａは、各種プログラム、各種データなどが予め記憶され及び書き込み可能な記録媒体（図示せず）を備える。当該記録媒体は、磁気的、光学的記録媒体若しくは半導体などの不揮発性メモリなどの、ＣＰＵ１１が読み取り可能な記録媒体で構成されている。当該記録媒体としては、固定ハードディスク、フラッシュメモリなどの固定的に設けたものや、ＣＤ−ＲＷ、ＤＶＤ−ＲＡＭ、メモリカード、携帯ハードディスク、青色レーザを用いる大容量情報記録媒体などの着脱自在に装着する可搬型のものが用いられる。また、記憶部１５の各種プログラムを記憶する部分は、ＲＯＭなどの読み出し専用の記録媒体により構成されてもよい。
【００３８】
通信部１６は、アンテナと、アンテナから送受信される無線信号とデータ信号とを変換する無線部などを備え、アクセスポイント４０と無線通信をして、アクセスポイント４０を介して通信ネットワークＮ上の機器との情報の送受信を行う。
【００３９】
撮影部１７は、デジタルカメラ１７１と、フラッシュと、デジタルカメラ１７１及びフラッシュ並びにバス１９を通信接続するインタフェース、音声を録音するマイクなどとを備え、ＣＰＵ１１の撮影指示により、車両３０の乗客Ｑを動画又は静止画撮影してその画像データを出力する。本実施の形態において、撮影部１７により撮影される画像データは、マイクにより録音される音声データを含む画像データとする。計時部１８は、現在時刻情報を取得してＣＰＵ１１に出力する。
【００４０】
次いで、図３を参照して、画像再生装置６０Ａの内部構成を説明する。画像再生装置６０Ａは、ＣＰＵ６１と、操作手段としての操作部６２と、ＲＡＭ６３と、表示部６４と、記憶手段としての記憶部６５Ａと、画像入力手段としての通信部６６と、画像再生手段としての画像データ再生部６７と、計時部６８と、を備えて構成され、各部がバス６９により接続される。
【００４１】
画像再生装置６０ＡのＣＰＵ６１、操作部６２、ＲＡＭ６３、表示部６４、記憶部６５Ａ、通信部６６、画像データ再生部６７、計時部６８及びバス６９は、順に、図２に示す画像撮影装置１０ＡのＣＰＵ１１、操作部１２、ＲＡＭ１３、表示部１４、記憶部１５Ａ、通信部１６、計時部１８及びバス１９と同様の構成であり、異なる部分を主として説明する。
【００４２】
ＣＰＵ６１は、画像再生装置６０Ａ内の各部を中央制御する。ＣＰＵ６１は、記憶部６５Ａに記憶されている各種プログラムの中から指定されたプログラムをＲＡＭ６３のワークエリアに適宜展開し、ＲＡＭ６３上のプログラムとの協働により各種制御を実行する。この構成における各種制御の主体を制御手段としての制御部６１１Ａとする。記憶部６５Ａには、再生部分設定テーブル８０及び第１の画像再生プログラムが記憶される。通信部６６は、通信ネットワークＮと接続されて、通信ネットワークＮ上のアクセスポイント４０（を介した画像撮影装置１０Ａ）と、画像記録装置７０との情報の送受信を介する。
【００４３】
表示部６４は、ＬＣＤなどで構成され、ＣＰＵ６１からの表示信号に従って、操作者用の画面表示を行う。画像データ再生部６７は、ＬＣＤ、プラズマディスプレイ、ＥＬ（EleoctroLuminescent）ディスプレイなどの画面表示部と、スピーカなどの音声出力部とで構成され、ＣＰＵ６１からの再生信号に従って、降車した乗客Ｑ用の画像データの画面表示及び音声出力による再生を行う。画像データ再生部６７は、コースＣＯのプラットホームの出口付近で、通行する乗客が画面を見やすく音声を聞きやすい位置及び角度などに設置される。
【００４４】
例えば、車両３０ごとの稼動順の乗客の組に識別番号が付与され、その識別番号とともに、複数の乗客の組の画像データが同時に再生可能とする。この乗客の組とは、例えば、コースＣＯ周回ごとに撮影される、車両３０に同時に乗車した乗客の組である。また、画像データ再生部６７は、乗客の複数の組の画像データを同時に再生するために、画像データを表示する表示画面を複数備える構成とするが、これに限定されるものではなく、１つの表示画面を備える構成としてもよい。
【００４５】
次に、図４を参照して、記憶部６５Ａに記憶される再生部分設定テーブル８０を説明する。図４に、再生部分設定テーブル８０の構成を示す。先ず、画像撮影装置１０Ａにおいて、コースＣＯ上で乗客Ｑが撮影される。また、撮影された画像データは、画像の各フレームのデータとともに、各フレームに対応する撮影時間を有する。各フレームと撮影時間とは一対一の対応としなくてもよい。
【００４６】
再生部分設定テーブル８０は、撮影されたコースＣＯ上の画像データのうちの再生対象の部分を示す識別情報である再生部分８１と、撮影された画像データから適切な再生部分を抽出するための情報である再生設定時間８２とを有する。図４に示す再生部分設定テーブル８０は、一例として動画の画像データから再生部分の画像データを抽出するためのテーブルとするが、これに限定されるものではなく、動画及び静止画のうちの少なくとも１つの画像データから再生部分の画像データを抽出するためのテーブルとしてもよい。また、撮影部１７によりコースＣＯ上で撮影される画像データを複数とする構成としてもよい。この場合には、画像再生装置６０Ａにおいて、撮影された複数の画像データから再生部分の画像データが抽出される。
【００４７】
再生部分８１は、撮影されたコースＣＯ１周分の動画の画像データのうちの再生対象の部分の識別情報である。再生設定時間８２は、動画の画像データから適切な再生部分を抽出するための情報であり、再生部分が動画である場合に、撮影時間に対応する再生開始時間及び再生終了時間の２つの時間で表現され、再生部分が静止画である場合に、撮影時間に対応する１つの再生時間で表現される。例えば、再生部分８１がＡである場合に、再生設定時間８２は、撮影時間Ｔａ１から撮影時間Ｔａ２までに対応する動画部分を示す。また、再生部分８１がＢである場合に、再生設定時間８２は、撮影時間Ｔｂの瞬間に対応する静止画部分を示す。
【００４８】
次に、図５及び図６を参照して、画像撮影システム１００Ａの動作を説明する。図５に、画像再生装置６０Ａにおいて実行される第１の画像再生処理を示す。図６に、撮影時間と再生部分との関係の一例を示す。
【００４９】
画像再生装置６０Ａにおいて、予め、記憶部６５Ａに、再生部分設定テーブル８０が記憶されている。例えば、ＣＰＵ６１により、記憶部６５Ａに記憶された第１の再生部分設定テーブル設定プログラムが読み出されてＲＡＭ６３に適宜展開されて、ＣＰＵ６１とＲＡＭ６３内の第１の再生部分設定テーブル設定プログラムとの協働により第１の再生部分設定テーブル設定処理が実行される。そして、第１の再生部分設定テーブル設定処理により、操作部６２により操作者からの再生部分及び再生設定時間の入力が受け付けられ、当該入力された再生部分及び再生設定時間に基づいて再生部分設定テーブル８０が作成されて記憶部６５Ａに記憶される。また、記憶部６５Ａに記憶された再生部分設定テーブル８０は、第１の再生部分設定テーブル設定処理と同様にして、操作者からの再生部分及び再生設定時間の入力により記憶部６５Ａに記憶された再生部分設定テーブル８０が変更可能であるものとする。
【００５０】
先ず、画像撮影装置１０Ａで実行される第１の撮影処理を簡単に説明する。コースＣＯのプラットホームにおいて、乗り物の車両３０に乗客Ｑが乗車しているものとする。そして、係員により、操作装置５０に車両３０の駆動指示が入力されて、車両３０の駆動が開始される。これと同時に、操作装置５０から車両３０の駆動指示情報が通信ネットワークＮ及びアクセスポイント４０を介して画像撮影装置１０Ａに送信される。画像撮影装置１０Ａにおいて、制御部１１１Ａにより、通信ネットワークＮ、アクセスポイント４０及び通信部１６を介して駆動指示情報を受信したことをトリガとして、計時部１８から取得される現在時刻情報に基づいて撮影時間が計測開始されるとともに、撮影部１７により、車両３０がコースＣＯ上を走行中の被写体である乗客Ｑが撮影される。この撮影において、撮影された各フレームの画像と計測中の撮影時間とが対応付けられて、撮影時間を含む画像データとして取得される。
【００５１】
そして、撮影部１７により、車両３０がプラットホームに到着して停止するまで撮影される。また、撮影された画像データは、記憶部１５Ａに記憶される。記憶部１５Ａに記憶された画像データは、通信部１６、アクセスポイント４０及び通信ネットワークＮを介して、画像再生装置６０Ａに送信される。この一連の第１の撮影処理が、車両３０のコースＣＯ上の周回ごとに実行され、その都度、記憶されている画像データが画像再生装置６０Ａに送信される。
【００５２】
また、走行後にプラットホームに停止した車両３０に乗車していた乗客Ｑは、降車して出口に向かう。ここで、出口付近に設けられた画像再生装置６０Ａの画像データ再生部６７を参照することとなる。
【００５３】
そして、画像再生装置６０Ａにおいて、操作者から操作部６２を介して入力される第１の画像再生処理の実行指示を受け付けたことをトリガとして、ＣＰＵ６１は、記憶部６５Ａに記憶された第１の画像再生プログラムを読み出してＲＡＭ６３に適宜展開し、ＣＰＵ６１とＲＡＭ６３内の第１の画像再生プログラムとの協働により、第１の画像再生処理が実行される。第１の画像再生処理の実行主体を制御部６１１Ａとする。
【００５４】
先ず、通信ネットワークＮ及び通信部６６を介して、撮影された画像データが画像撮影装置１０Ａから受信開始されたか否かが判別される（ステップＳ１１）。画像データが受信開始されていない場合（ステップＳ１１；ＮＯ）、ステップＳ１１に移行される。画像データが受信開始された場合（ステップＳ１１；ＹＥＳ）、通信ネットワークＮ及び通信部６６を介して、受信開始された画像データが画像撮影装置１０Ａから受信完了される（ステップＳ１２）。
【００５５】
そして、受信した画像データに、どの乗客の組を撮影したものかを識別するための識別番号が付与されるとともに、当該識別番号及び画像データが、通信部６６及び通信ネットワークＮを介して画像記録装置７０に送信される（ステップＳ１３）。ステップＳ１３に対応して、画像記録装置７０において、画像再生装置６０Ａから識別番号及び画像データが受信される。
【００５６】
そして、記憶部６５Ａに記憶されている再生部分設定テーブル８０が読み出される（ステップＳ１４）。そして、再生部分設定テーブル８０の再生設定時間８２に基づいて、ステップＳ１２において受信された全ての画像データのうちの一部が再生画像データとして抽出される（ステップＳ１５）。具体的には、受信された画像データに含まれる撮影時間が再生設定時間８２に対応する画像データが抽出されることにより、動画又は静止画の再生部分としての画像データが取得される。
【００５７】
そして、ステップＳ１５において抽出された再生画像データが、識別番号とともに、画像データ再生部６７により一定時間繰り返し再生され（ステップＳ１６）、ステップＳ１１に移行される。ステップＳ１６において、具体的には、計時部６８により取得される現在時刻情報を一定周期で参照して、所定の一定時間が経過するまで、再生画像データが識別番号とともに、画像データ再生部６７に識別番号順に再生される。また、ステップＳ１６の処理は、１つのジョブとして投入されて実行され、その投入後にステップＳ１１に移行される。
【００５８】
例えば、ステップＳ１６において、新しい再生画像データを再生する度に、各再生画像データが識別番号順に並べ替えられて、画像データ再生部６７の複数の表示画面にそれぞれ画像表示されて再生される。また、各再生画像データは、再生部分として抽出された動画及び静止画のうちの少なくとも１つの再生画像データが撮影順に再生され、かつ繰り返し再生される。
【００５９】
そして、画像記録装置７０において、画像再生装置６０Ａから受信された識別番号及び画像データが受信されて図示しない記憶部に記憶される。画像データ再生部６７において、識別番号とともに再生された画像データを乗客が参照する。画像データの出力を希望する乗客は、その画像データの識別番号による注文を画像記録装置７０の操作者（係員）に伝える。当該操作者は、注文された識別番号を画像記録装置７０の入力部から入力する。画像記録装置７０は、入力された識別番号に対応する動画の全画像データをＣＤ−Ｒなどの記録媒体に記録して排出する。その画像データが記録された記録媒体が乗客に代金と引き換えに手渡される。
【００６０】
次に、図６を参照して、コースＣＯにおける撮影時間と再生部分との具体例を示す。車両３０は、プラットホームの停止位置から、稼動されてコースＣＯ上を一周して帰ってきて、元の停止位置に停止するまで（図６のコースＣＯの左端から右端まで）、動画撮影される場合の一例を説明する。図４に示す再生部分設定テーブル８０により再生部分８１がＡ，Ｂと設定される場合に、プラットホームの停止位置の撮影開始からの撮影時間が、再生開始時間Ｔａ１及び再生終了時間Ｔａ２の間に対応する動画の画像データが、再生部分Ａの画像データとして抽出される。また、撮影時間が時間Ｔｂとなる静止画の画像データが、再生部分Ｂの画像データとして抽出される。そして、再生部分Ａの動画の画像データと、再生部分Ｂの静止画の画像データとが、この順に、画像データ再生部６７に繰り返し一定時間再生される。
【００６１】
以上、本実施の形態によれば、画像再生装置６０において、車両３０の移動とともにデジタルカメラ１７１により撮影された画像データから、記憶部６５Ａに記憶された再生部分設定テーブル８０の再生設定時間８２に対応する再生部分の再生画像データを容易に抽出でき、抽出した再生画像データを画像データ再生部６７に再生するので、撮影された画像データのうちの適切な再生部分の画像データを再生することができる。
【００６２】
また、記憶部６５Ａに記憶された再生部分設定テーブル８０を変更することができるので、撮影される画像データの再生部分を自在に変更することができる。
【００６３】
（第２の実施の形態）
図７〜図１１を参照して、本発明に係る第２の実施の形態を説明する。第１の実施の形態では、撮影される画像データが撮影時間を含む構成であった。本第２の実施の形態は、撮影される画像データが撮影距離を含む構成とする。
【００６４】
先ず、図７及び図８を参照して、本実施の形態の装置構成を説明する。図７に、画像撮影装置１０Ｂの内部構成を示す。図８に、画像再生装置６０Ｂの内部構成を示す。先ず、図示しないが、本実施の形態の画像撮影システム１００Ｂは、図１に示す画像撮影システム１００Ａと同様であり、画像撮影装置１０Ａ，画像再生装置６０Ａに代えて、画像撮影装置１０Ｂ，画像再生装置６０Ｂを備えて構成される。
【００６５】
図７に示すように、画像撮影装置１０Ｂは、ＣＰＵ１１と、操作部１２と、ＲＡＭ１３と、表示部１４と、記憶部１５Ｂと、通信部１６と、撮影部１７と、位置計測部２０と、を備えて構成され、各部がバス１９により接続される。画像撮影装置１０Ｂについて、重複する説明を避けるため、画像撮影装置１０Ａと異なる部分を主として説明する。
【００６６】
ＣＰＵ１１は、記憶部１５Ｂに記憶されている各種プログラムの中から指定されたプログラムをＲＡＭ１３のワークエリアに適宜展開し、ＲＡＭ１３上のプログラムとの協働により各種制御を実行する。この構成における各種制御の主体を制御部１１１Ｂとする。位置計測部２０は、車両３０の車輪に設けられた回転数センサを備え、コースＣＯ上の車両３０の車輪の回転数に対応する移動距離情報を計測してＣＰＵ１１に出力する。
【００６７】
図８に示すように、画像再生装置６０Ｂは、ＣＰＵ６１と、操作部６２と、ＲＡＭ６３と、表示部６４と、記憶部６５Ｂと、通信部６６と、画像データ再生部６７と、計時部６８と、を備えて構成され、各部がバス６９により接続される。画像再生装置６０Ｂについて、重複する説明を避けるため、画像再生装置６０Ｂと異なる部分を主として説明する。
【００６８】
ＣＰＵ６１は、記憶部６５Ｂに記憶されている各種プログラムの中から指定されたプログラムをＲＡＭ６３のワークエリアに適宜展開し、ＲＡＭ６３上のプログラムとの協働により各種制御を実行する。この構成における各種制御の主体を制御部６１１Ｂとする。記憶部６５Ｂには、再生部分設定テーブル９０、第２の再生部分設定テーブル設定プログラム及び第２の画像再生プログラムなどが記憶される。
【００６９】
次に、図９を参照して、記憶部６５Ｂに記憶される再生部分設定テーブル９０を説明する。図９に、再生部分設定テーブル９０の構成を示す。先ず、画像撮影装置１０Ｂにおいて、コースＣＯ上で乗客Ｑが撮影される。また、撮影される画像データは、画像の各フレームのデータとともに、各フレームに対応する撮影距離を有する。各フレームと撮影距離とは一対一の対応としなくてもよい。
【００７０】
再生部分設定テーブル９０は、撮影されたコースＣＯ上の画像データのうちの再生対象の部分を示す識別情報である再生部分９１と、撮影された画像データから適切な再生部分を抽出するための情報である再生設定距離９２とを有する。図９に示す再生部分設定テーブル９０は、一例として動画の画像データから再生部分の画像データを抽出するためのテーブルとするが、これに限定されるものではなく、動画及び静止画のうちの少なくとも１つの画像データから再生部分の画像データを抽出するためのテーブルとしてもよい。また、撮影部１７によりコースＣＯ上で撮影される画像データを複数とする構成としてもよい。この場合には、画像再生装置１０Ｂにおいて、撮影された複数の画像データから再生部分の画像データが抽出される。
【００７１】
再生部分９１は、撮影されたコースＣＯ１周分の動画の画像データのうちの再生対象の区間の識別情報である。再生設定距離９２は、動画の画像データから適切な再生部分を抽出するための情報であり、再生部分が動画である場合に、コースＣＯのプラットホームの停止位置からの撮影距離に対応する再生開始距離及び再生終了距離の２つの距離で表現され、再生部分が静止画である場合に、撮影距離に対応する１つの表示距離で表現される。例えば、再生部分９１がＡである場合に、再生設定距離９２は、撮影距離Ｄａ１から撮影距離Ｄａ２までに対応する動画部分を示す。また、再生部分９１がＢである場合に、再生設定距離９２は、撮影距離Ｄｂの瞬間に対応する静止画部分を示す。
【００７２】
次に、図１０を参照して、画像撮影システム１００Ｂの動作を説明する。図１０に、画像再生装置６０Ｂにおいて実行される第２の画像再生処理を示す。図１１に、撮影距離と再生部分との関係の一例を示す。
【００７３】
画像再生装置６０Ｂにおいて、予め、記憶部６５Ｂに、再生部分設定テーブル９０が記憶されている。例えば、ＣＰＵ６１により、記憶部６５Ｂに記憶された第２の再生部分設定テーブル設定プログラムが読み出されてＲＡＭ６３に適宜展開されて、ＣＰＵ６１とＲＡＭ６３内の第２の再生部分設定テーブル設定プログラムとの協働により第２の再生部分設定テーブル設定処理が実行される。そして、第２の再生部分設定テーブル設定処理により、操作部６２により操作者からの再生部分及び再生設定距離の入力が受け付けられ、当該入力された再生部分及び再生設定距離に基づいて再生部分設定テーブル９０が作成されて記憶部６５Ｂに記憶される。また、記憶部６５Ｂに記憶された再生部分設定テーブル９０は、第２の再生部分設定テーブル設定処理と同様にして、操作者からの再生部分及び再生設定時間の入力により記憶部６５Ｂに記憶された再生部分設定テーブル９０が変更可能であるものとする。
【００７４】
先ず、画像撮影装置１０Ｂで実行される第２の撮影処理を説明する。コースＣＯのプラットホームにおいて、乗り物の車両３０に乗客Ｑが乗車しているものとする。そして、係員により、操作装置５０に車両３０の駆動指示が入力されて、車両３０の駆動が開始される。これと同時に、操作装置５０から車両３０の駆動指示情報が通信ネットワークＮ及びアクセスポイント４０を介して画像撮影装置１０Ｂに送信される。画像撮影装置１０Ｂにおいて、制御部１１１Ｂにより、通信ネットワークＮ、アクセスポイント４０及び通信部１６を介して駆動指示情報を受信したことをトリガとして、位置計測部２０から取得される移動距離情報がリセットされ位置計測部２０によりコースＣＯ上の撮影距離が計測開始されるとともに、撮影部１７により、車両３０がコースＣＯ上を走行中の被写体である乗客Ｑが撮影される。この撮影において、撮影された各フレームの画像と計測中の撮影距離とが対応付けられて、撮影距離を含む画像データとして取得される。
【００７５】
そして、撮影部１７により、車両３０がプラットホームに到着して停止するまでの間に撮影される。また、撮影された画像データは、記憶部１５Ｂに記憶される。記憶部１５Ｂに記憶された動画の画像データは、通信部１６、アクセスポイント４０及び通信ネットワークＮを介して、画像再生装置６０Ｂに送信される。この一連の第２の撮影処理が、車両３０のコースＣＯ上の周回ごとに実行され、その都度、記憶されている画像データが画像再生装置６０Ｂに送信される。
【００７６】
また、走行後にプラットホームに停止した車両３０に乗車していた乗客Ｑは、降車して出口に向かう。ここで、出口付近に設けられた画像再生装置６０Ｂの画像データ再生部６７を参照することとなる。
【００７７】
そして、画像再生装置６０Ｂにおいて、操作者から操作部６２を介して入力される第２の画像再生処理の実行指示を受け付けたことをトリガとして、ＣＰＵ６１は、記憶部６５Ａに記憶された第２の画像再生プログラムを読み出してＲＡＭ６３に適宜展開し、ＣＰＵ６１とＲＡＭ６３内の第２の画像再生プログラムとの協働により、第２の画像再生処理が実行される。画像再生処理の実行主体を制御部６１１Ｂとする。
【００７８】
先ず、図１０に示すステップＳ２１，Ｓ２２，Ｓ２３は、順に、図１０の第１の画像再生処理のステップＳ１１、Ｓ１２，Ｓ１３と同様である。そして、記憶部６５Ｂに記憶されている再生部分設定テーブル９０が読み出される（ステップＳ２４）。そして、再生部分設定テーブル９０の再生設定距離９２に基づいて、ステップＳ２２において受信された全ての画像データのうちの一部が再生画像データとして抽出される（ステップＳ２５）。具体的には、受信された画像データに含まれる撮影距離が再生設定距離９２に対応する画像データが抽出されることにより、動画又は静止画の再生部分としての画像データが取得される。そして、図１０に示すステップＳ２６は、図５の第１の画像再生処理のステップＳ１６と同様である。
【００７９】
そして、第１の実施の形態と同様にして、画像記録装置７０において、乗客が購入希望する画像データがＣＤ−Ｒなどの記録媒体に記録される。その画像記録された記録媒体が乗客に代金と引き換えに手渡される。
【００８０】
次に、図１１を参照して、コースＣＯにおける撮影時間と再生部分との具体例を示す。車両３０は、プラットホームの停止位置から、稼動されてコースＣＯ上を一周して帰ってきて、元の停止位置に停止するまで（図１１のコースＣＯの左端から右端まで）、動画撮影される場合の一例を説明する。図８に示す再生部分設定テーブル９０により再生部分９１がＡ，Ｂと設定される場合に、プラットホームの停止位置の撮影開始からの撮影距離が、再生開始距離Ｄａ１及び再生終了距離Ｄａ２の間に対応する動画の画像データが、再生部分Ａの画像データとして抽出される。また、撮影距離が距離Ｄｂとなる静止画の画像データが、再生部分Ｂの画像データとして抽出される。そして、再生部分Ａの動画の画像データと、再生部分Ｂの静止画の画像データとが、この順に、画像データ再生部６７に繰り返し一定時間再生される。
【００８１】
以上、本実施の形態によれば、画像再生装置６０Ｂにおいて、車両３０の移動とともにデジタルカメラ１７１により撮影された全ての画像データから、その画像データの一部として、記憶部６５Ｂに記憶された再生部分設定テーブル９０の再生設定距離９２に対応する再生部分の再生画像データを容易に抽出でき、抽出した再生画像データを画像データ再生部６７に再生するので、撮影された画像データのうちの適切な再生部分の画像データを抽出して再生することができる。
【００８２】
また、記憶部６５Ｂに記憶された再生部分設定テーブル９０を変更することができるので、撮影される画像データの再生部分を自在に変更することができる。
【００８３】
なお、上記第１の実施の形態において、画像撮影装置１０Ａを車両３０内部に設ける構成としたが、これに限るものではない。例えば、通信部１６と、撮影部１７とを車両３０内部に設け、通信ネットワークＮ上に撮影制御装置を設け、撮影制御装置側で、撮影時間設定テーブルを記憶し、動作設定時間での撮影位置における被写体撮影をアクセスポイント４０を介した無線通信により制御する構成としてもよい。
また、上記第２の実施の形態において、画像撮影装置１０Ｂを車両３０内部に設ける構成としたが、これに限るものではない。例えば、通信部１６と、撮影部１７と、位置計測部２０と、を車両３０内部に設け、通信ネットワークＮ上に撮影制御装置を設け、撮影制御装置側で、撮影位置設定テーブルを記憶し、動作設定距離での撮影位置における被写体撮影をアクセスポイント４０を介した無線通信により制御する構成としてもよい。
【００８４】
また、上記各実施の形態においては、画像再生装置６０Ａ又は６０Ｂにより、撮影された画像データから動画部分を抽出する場合に、連続した複数フレームからなる動画部分の画像データを抽出する構成としたが、これに限定されるものではない。撮影された画像データから所定フレームが間引きされた画像データを抽出することを含めてもよい。例えば、撮影された動画の画像データから所定周期ごとにフレームを抽出して、コマ送り再生用の画像データを取得することとしてもよい。また、撮影された画像データから抽出される再生部分の画像データは、１つでも複数でもよい。
【００８５】
また、上記各実施の形態では、画像撮影装置１０Ａ又は１０Ｂにおいて撮影された画像データが記憶部１５Ａ又は１５Ｂに記憶され、当該記憶された画像データが通信部１６、アクセスポイント４０及び通信ネットワークＮを介して、画像再生装置６０Ａ又は６０Ｂへ送信される構成であったが、これに限るものではない。例えば、画像撮影システム１００Ａ又は１００Ｂが、アクセスポイント４０及び通信ネットワークＮを備えることなく、画像撮影装置１０Ａ又は１０Ｂが、通信部１６を備えることなく、携帯型メモリカードなどのメモリとしての記録媒体に情報を記録する記録部を備える構成としてもよい。この構成により、撮影手段１７により撮影された画像データが前記記録部により記録媒体に記録され、その記録媒体が画像撮影装置１０Ａ又は１０Ｂから係員又は乗客により取り出されて画像再生装置６０Ａ又は６０Ｂの操作者に手渡されて、当該操作者により当該記録媒体を介して画像再生装置６０Ａ又は６０Ｂに画像データが入力される。また、画像再生装置６０Ａ又は６０Ｂと、画像記録装置７０とは、一体として画像再生及び画像記録機能を有する画像処理装置として構成してもよい。
【００８６】
また、上記各実施の形態において、遊園地などの乗り物（の車両３０）を移動体とする構成であったが、これに限るものではない。例えば、移動コースが一定の観光バス、観光船などとしてもよい。また、移動ごとに再生部分設定テ―ブルを設定するのであれば、移動コースが一定でなくてもよい。
【００８７】
また、上記第１の実施の形態において、再生部分設定テーブル８０の再生設定時間８２における動画に対応する再生部分の設定時間を、Ｔ１〜Ｔ２のように表したが、Ｔ１＋α（α＝Ｔ２−Ｔ１を満たす値）として表してもよい。また、再生部分８１の２点を再生開始時間と再生終了時間とに対応させる構成としてもよい。
また、上記第２の実施の形態において、再生部分設定テーブル９０の再生設定距離９２における動画に対応する再生部分の設定距離を、Ｄ１〜Ｄ２のように表したが、Ｄ１＋β（β＝Ｄ２−Ｄ１を満たす値）として表してもよい。また、再生部分９１の２点を再生開始距離と再生終了距離とに対応させる構成としてもよい。
【００８８】
また、第２の実施の形態においては、位置計測部２０が、車両３０の車輪の回転数を測定するセンサを含み、当該回転数により車両３０のコースＣＯ上の移動距離情報を位置情報として測定する構成であったが、これに限定されるものではない。例えば、位置計測部２０が、ＧＰＳ装置を備え、コースＣＯ上の車両３０の緯度及び経度を含むＧＰＳ情報を取得し、当該ＧＰＳ情報から車両３０のコースＣＯ上の移動距離情報を算出することにより測定する構成としてもよい。
【００８９】
また、上記各実施の形態において、画像データ再生部６７は、表示画面を分割して、複数の乗客の組をそれぞれ各分割領域に対応して再生する構成としてもよい。さらに、再生する乗客の組の数を表示画面の数（一定）とし、先出し先入れ方式で、新たな乗客の組の画像データを再生する際に表示画面が空いてなければ、最も古い乗客の組の表示画像を消すとともに、次の乗客の組の表示画像を新たに再生する構成としてもよい。
【００９０】
また、上記各実施の形態において、撮影部１７により撮影される画像データは、マイクにより録音される音声データを含む、動画又は静止画の画像データとしたが、これに限定されるものではない。撮影される画像データは、例えば、音声データを含まない画像データとしてもよい。再生部分の画像データも同様である。また、音声データを含む静止画の画像データとは、例えば、静止画撮影された際にマイクで音声を所定時間録音され、撮影された静止画の実画像データと、所定時間録音された音声データとを含むものである。画像再生装置において、音声データを含む静止画の画像データを再生する場合には、例えば、静止画の実画像データが一定時間表示されている間に、所定時間の音声データが繰り返し音声出力されることにより再生される。また、画像データを、画像と音声とが一体とされたファイル形式のデータとしてもよく、画像と音声とが別々となるファイル形式のデータとしてもよい。
【００９１】
なお、上述した各実施の形態における記述は、本発明に係る好適な画像再生装置及び画像再生プログラムの一例であり、これに限定されるものではない。
【図面の簡単な説明】
【００９２】
【図１】本発明に係る第１の実施の形態の画像撮影システム１００Ａの構成図である。
【図２】画像撮影装置１０Ａの内部構成を示すブロック図である。
【図３】画像再生装置６０Ａの内部構成を示すブロック図である。
【図４】再生部分設定テーブル８０の構成を示す図である。
【図５】画像再生装置６０Ａにおいて実行される第１の画像再生処理を示すフローチャートである。
【図６】撮影時間と再生部分との関係の一例を示す図である。
【図７】画像撮影装置１０Ｂの内部構成を示すブロック図である。
【図８】画像再生装置６０Ｂの内部構成を示すブロック図である。
【図９】再生部分設定テーブル９０の構成を示す図である。
【図１０】画像再生装置６０Ｂにおいて実行される第２の画像再生処理を示すフローチャートである。
【図１１】撮影距離と再生部分との関係の一例を示す図である。
【符号の説明】
【００９３】
１００Ａ，１００Ｂ  画像撮影システム
１０Ａ，１０Ｂ  画像撮影装置
１１  ＣＰＵ
１１１Ａ，１１１Ｂ  制御部
１２  操作部
１３  ＲＡＭ
１４  表示部
１５Ａ，１５Ｂ  記憶部
１６  通信部
１７  撮影部
１８  計時部
１９  バス
２０  位置計測部
３０  車両
４０  アクセスポイント
５０  操作装置
６０Ａ  画像再生装置
６１  ＣＰＵ
６１１Ａ，６１１Ｂ  制御部
６２  操作部
６３  ＲＡＭ
６４  表示部
６５Ａ，６５Ｂ  記憶部
６６  通信部
６７  画像データ再生部
６８  計時部
６９  バス
７０  画像記録装置
Ｎ  通信ネットワーク
Ｑ  乗客
【図１】
2005167796.tif 000003
【図２】
2005167796.tif 000004
【図３】
2005167796.tif 000005
【図４】
2005167796.tif 000006
【図５】
2005167796.tif 000007
【図６】
2005167796.tif 000008
【図７】
2005167796.tif 000009
【図８】
2005167796.tif 000010
【図９】
2005167796.tif 000011
【図１０】
2005167796.tif 000012
【図１１】
2005167796.tif 000013